(57)【要約】      （修正有）【課題】設置スペースを新たに設けるための改造を行なうことなく、既存の構造を利用して無線ＬＡＮ機器を自動販売機内に格納することのできる箱体を提供する。【解決手段】箱体１は、上下方向に沿って配置される前面板部４、および前面板部の外周縁に全周にわたり後向きに立設された外周板部５から成り背面開口８を有する箱状本体２と、背面開口８の開口縁から上下方向および／または水平方向に突設された鍔部３と、から構成されている。箱状本体２は、自動販売機前面の主扉２２に形成された広告掲示用窓３０に背面２４Ａ側から嵌着される形状に形成され、箱状本体の箱内空間９は、近隣の無線携帯端末と無線ＬＡＮ通信を行なうとともに無線携帯端末をインターネットに接続させる無線ＬＡＮルータ１１とアンテナ１２を備える無線ＬＡＮ機器１０を格納できる深さＤ１、縦横寸法および形状を有する。【選択図】図５
0003193231.tif 000002
【実用新案登録請求の範囲】
【請求項１】
上下方向に沿って配置される前面板部、および当該前面板部の外周縁に全周にわたり後向きに立設された外周板部から成っていて背面が開口している箱状本体と、箱状本体の背面開口の開口縁から突設された鍔部と、から構成される箱体であって、
箱状本体は、自動販売機前面の主扉に前後貫通して形成された広告掲示用窓に主扉の背面側から前向きに装着される形状に形成され、箱状本体の箱内空間は、近隣の無線端末と無線ＬＡＮ通信を行なうとともに前記無線端末をインターネットに通信接続させる無線ＬＡＮ機器を格納する寸法および形状に形成されていることを特徴とする無線ＬＡＮ機器格納用の箱体。
【請求項２】
箱状本体の前面板部の正面形状は、自動販売機の広告掲示用窓と略同じ形状に形成されていることを特徴とする請求項１に記載の無線ＬＡＮ機器格納用の箱体。
【請求項３】
無線ＬＡＮ機器は、光通信方式の無線ＬＡＮルータを含んで成ることを特徴とする請求項１または請求項２に記載の無線ＬＡＮ機器格納用の箱体。
【請求項４】
前面開口を有する本体ケーシングと、本体ケーシングの前面開口を開閉自在に蓋止する主扉と、主扉に前後貫通して形成された広告掲示用窓とを有して成り、
更に、
主扉の広告掲示用窓に背面側から装着された請求項１から請求項３までのいずれか一項に記載の箱体と、
広告掲示用窓に嵌着された箱体を主扉の背面に係止する係止部材と、
箱体の箱状本体の箱内空間に格納された無線ＬＡＮ機器と、
電源を無線ＬＡＮ機器に供給するための給電機器と、
インターネットと無線ＬＡＮ機器を通信接続する通信機器と、を備えていることを特徴とする自動販売機。
【考案の詳細な説明】
【技術分野】
【０００１】
本考案は、無線ＬＡＮ機器を自動販売機内に格納可能で、自動販売機の基本構造を変えることなく自動販売機の外観の見栄えを損なわない無線ＬＡＮ機器格納用の箱体に関するものである。
【背景技術】
【０００２】
我が国では、治安の良さや高度な技術力のおかげで、種々の商品を扱う自動販売機が至る所に設置されている。このような自動販売機の一般的なものを図８および図９に示す。図８，９に示した自動販売機Ｊは、前面開口を有する箱状の本体ケーシング（図６の符号２０参照）と、本体ケーシングの前面開口をヒンジ部２３を介して開閉自在に蓋止する主扉２２と、本体ケーシングと主扉２２の間に開閉自在に配置された中扉２１と、から構成されている。中扉２１の前面上部には商品見本展示部２５が設けられ、前面下部には支持板４０が配備されている、支持板４０は上下の支持脚４１，４１を介して中扉２１の前方に配置されている。支持板４０の前面には、広告図柄３９が描かれた広告掲示板３８が貼り付けられている。主扉２２の上部開口には、中扉２１の商品見本展示部２５を見通せる、例えばプラスチック製の透明ボード２６が嵌め込まれている。この透明ボード２６には、多数の商品選択スイッチ２８，２８，２８，・・・を有するスイッチ支持板部２７，２７，２７が取り付けられている。主扉２２下部の扉板２４には、商品取出口３２、広告掲示用窓３０、硬貨投入口などが設けられている。広告掲示用窓３０は、扉板２４を前後貫通して形成されている。広告掲示用窓３０の開口縁３１の正面形状はほぼ長方形に形成されている。扉板２４の背面における広告表示窓口３０の開口縁３１の周縁部の全周にわたり、シール枠材３５が貼り付けられている。
扉板２４の背面で広告表示窓口３０の上下位置には、横長の固定用台部３６，３６が溶接などで固着されている。そして、上下の固定用台部３６，３６にビス３３により螺止される横長の係止部材３４Ａ，３４Ａによって、広告表示窓口３０を塞ぐ透明ボード３７がシール枠材３５の背面に固定されている。
【０００３】
一方で、無線ＬＡＮによるインターネット接続サービスを不特定多数の利用者に提供する無線ＬＡＮ基地局も、多くの場所に設置されている。しかしながら、一般的な無線ＬＡＮ基地局は大がかりであるため設置に多大なコストと手間がかかる。
そこで、上記の自動販売機の上面に簡易式の無線ＬＡＮ基地局を設置することにより無線ＬＡＮ基地局を簡便に普及させるという技術が、下記の特許文献１に記載されている。しかしながら、このように自動販売機の外側に無線ＬＡＮ基地局を設置すると、いたずらにより破壊されたり、盗難にあったり、降雪などにより破損するという懸念がある。また、外付け式であるので、自動販売機元来のデザインに合わせることが難しく見栄えを損ないやすいという不具合もある。
それに対し、特許文献２に記載された自動販売機のように、商品見本展示部に展示されている商品見本の中空内部に、機外の無線携帯端末との間で無線通信を行うためのアンテナを収納して外から見えないようにしたものが開示されている。
【先行技術文献】
【特許文献】
【０００４】
【特許文献１】登録実用新案第３１１０５５７号公報
【特許文献２】特開２０００−１８２１２７号公報
【考案の概要】
【考案が解決しようとする課題】
【０００５】
ところで、自動販売機は、商品見本展示部、実商品収納部、冷却機、加熱機、制御箱などを内蔵しており、近年における小型化の要請から、ケーシング内に余分のスペースを持っていないのが実情である。
それに対し、上記した特許文献２において、アンテナは自動販売機内で商品見本内に格納されているのであるが、無線ＬＡＮルータを自動販売機内に設置するためには、自動販売機内の既存機器を改造して新たな設置スペースを設ける必要があり、多大な手間とコストを要するおそれがあった。
【０００６】
本考案は、上記した従来の問題点に鑑みてなされたものであって、無線ＬＡＮ機器の設置スペースを新たに設けるための自動販売機内の機器改造を行なうことなく、自動販売機の既存の構造を利用して無線ＬＡＮ機器を自動販売機内に格納することのできる箱体の提供を目的とする。
【課題を解決するための手段】
【０００７】
上記目的を達成するために、本考案に係る無線ＬＡＮ機器格納用の箱体は、上下方向に沿って配置される前面板部、および当該前面板部の外周縁に全周にわたり後向きに立設された外周板部から成っていて背面が開口している箱状本体と、箱状本体の背面開口の開口縁から突設された鍔部と、から構成される箱体であって、箱状本体は、自動販売機前面の主扉に前後貫通して形成された広告掲示用窓に主扉の背面側から前向きに装着される形状に形成され、箱状本体の箱内空間は、近隣の無線端末と無線ＬＡＮ通信を行なうとともに前記無線端末をインターネットに通信接続させる無線ＬＡＮ機器を格納する寸法および形状に形成されている構成にしてある。前記の無線端末としては、例えばスマートフォンや携帯電話などの無線携帯端末、または他の無線ＬＡＮ機器が挙げられる。
【０００８】
また、前記構成において、箱状本体の前面板部の正面形状は、自動販売機の広告掲示用窓と略同じ形状に形成されているものである。
【０００９】
そして、前記した各構成において、無線ＬＡＮ機器は、光通信方式の無線ＬＡＮルータを含んで成るものである。
【００１０】
更に、本考案に係る自動販売機は、前面開口を有する本体ケーシングと、本体ケーシングの前面開口を開閉自在に蓋止する主扉と、主扉に前後貫通して形成された広告掲示用窓とを有して成り、主扉の広告掲示用窓に背面側から装着された請求項１から請求項３までのいずれか一項に記載の箱体と、広告掲示用窓に装着された箱体を主扉の背面に係止する係止部材と、箱体の箱状本体の箱内空間に格納された無線ＬＡＮ機器と、電源を無線ＬＡＮ機器に供給するための給電機器と、インターネットと無線ＬＡＮ機器を通信接続する通信機器と、を備えているものである。
【考案の効果】
【００１１】
本考案に係る無線ＬＡＮ機器格納用の箱体によれば、箱状本体が、無線ＬＡＮ機器を格納可能な箱内空間を有するとともに自動販売機の主扉の広告掲示用窓に背面側から装着され得るので、広告掲示用窓に装着された箱状本体の箱内空間は機外に突出していることになる。すなわち、箱内空間に格納された無線ＬＡＮ機器は、自動販売機内でありながら主扉の前方に突出した位置に配置される。これにより、無線ＬＡＮ機器の設置スペースを新たに設けるための自動販売機内の機器改造を行なう必要がなくなり、自動販売機の既存の広告掲示用窓を利用して自動販売機内での無線ＬＡＮ機器の設置を行なうことができる。
【００１２】
また、箱状本体の前面板部の正面形状が自動販売機の広告掲示用窓と略同じ形状にされたものでは、箱体の正面形状が自動販売機の既存のデザインに溶け込むので、自動販売機元来の見栄えを毀損するといったことを回避できる。
【００１３】
そして、無線ＬＡＮ機器が光通信方式の無線ＬＡＮルータを含んでいるものでは、商用電源供給用の送電線を懸架している電柱に光通信線も懸架されている場合が増えているので、この光通信線を簡便に利用することができる。その結果、高速の通信速度で確実かつ安価にインターネット利用を提供することができる。
【００１４】
更に、本考案に係る自動販売機によれば、元々自身に供給される近隣の電柱からの電源を箱体内の無線ＬＡＮ機器に利用することができる。また、その電柱に光通信線が架線されている場合は、これも簡便に利用することができる。また、自動販売機内に無線ＬＡＮ機器が設置されているので、いたずらによる破壊、盗難、天災による破損から回避することができる。
【図面の簡単な説明】
【００１５】
【図１】本考案の一実施形態に係る無線ＬＡＮ機器格納用の箱体を示す図であって、（ａ）は正面図、（ｂ）は斜視図、（ｃ）は左側面図、（ｄ）は（ａ）におけるＡ−Ａ線矢視断面図である。
【図２】前記箱体が取り付けられた自動販売機の正面図である。
【図３】前記自動販売機の主扉を開いて内部を眺めた外観図である。
【図４】前記主扉および箱体の要部であり蓋板を省略した状態の部分拡大背面図である。
【図５】前記主扉および箱体の要部を示す部分拡大側断面図である。
【図６】前記主扉および箱体を示す部分斜視図である。
【図７】前記箱体が取り付けられた自動販売機を含むインターネット通信システムのブロック構成図である。
【図８】一般の自動販売機の正面図である。
【図９】前記一般の自動販売機における主扉の部分拡大側断面図である。
【考案を実施するための形態】
【００１６】
本考案の実施形態を図面に基づいて説明する。尚、以下に述べる実施形態は本考案を具体化した一例に過ぎず、本考案の技術的範囲を限定するものでない。
図１は本考案の一実施形態に係る無線ＬＡＮ機器格納用の箱体を示す図であって、（ａ）は正面図、（ｂ）は斜視図、（ｃ）は左側面図、（ｄ）は（ａ）におけるＡ−Ａ線矢視断面図、図２は前記箱体が取り付けられた自動販売機の正面図、図３は前記自動販売機の主扉を開いて内部を眺めた外観図、図４は前記主扉および箱体の要部であり蓋板を省略した状態の部分拡大背面図、図５は前記主扉および箱体の要部を示す部分拡大側断面図、図６は前記主扉および箱体を示す部分斜視図を示している。但し、図８および図９に示した一般的な自動販売機と同一の構成要素には、同一の符号を付すとともにその詳細な説明を省略することがある。
【００１７】
各図において、この実施形態に係る無線ＬＡＮ機器格納用の箱体１は、背面が開口している箱状本体２と、箱状本体２の背面開口８の開口縁７から全周にわたって外向き（すなわち上下方向および左右方向の外向き）に突設された全周鍔状の鍔部３と、から構成されている。箱状本体２は、縦向きに配置される前面板部４と、前面板部４の外周縁６に全周にわたり後向きに立設された外周板部５と、から構成されている。箱状本体２の箱内空間９は、後で詳述する無線ＬＡＮ機器１０を背面開口８から格納し得る寸法および形状に形成されている。因みに、箱内空間９の前後方向の深さＤ１は、例えば１００ｍｍである。但し、本考案における箱内空間９の深さは１００ｍｍに限られない。前面板部４の横幅Ｂおよび高さＣならびにコーナー部の面取り形状は、一般の自動販売機Ｊの広告掲示用窓３０に合わせてある。また、箱状本体２における前面板部４から鍔部３までの奥行Ｄは、前記した深さＤ１とほぼ同じである。
【００１８】
前記の箱体１は、図２〜図６に示すように、一般の自動販売機Ｊに用いられる。この実施形態の自動販売機Ｊにおいて、図８および図９における透明ボード３７および係止部材３４Ａ，３４Ａに替えて、係止部材３４Ａよりも前後方向に短かい係止部材３４，３４と、前記した箱体１と、箱体１の背面開口８を蓋止する蓋板４３と、が用いられる。蓋板４３は例えば透明なアクリルボードなどで構成されていてもよい。蓋板４３には、電力線や信号線を通すための挿通用孔４２が前後貫通して形成されている。主扉２２は上下のヒンジ部２３，２３を介して本体ケーシング２０に開閉自在に枢支されている。主扉２２の背面側に示された符号１７は、前面に設けられた硬貨投入口２９および硬貨払戻口とつながっている硬貨受け払い機である。そして、箱体１の箱状本体２における前面板部４の正面形状は、自動販売機Ｊの広告掲示用窓３０の正面形状と同じ、面取りされた長方形に形成されている。
【００１９】
無線ＬＡＮ機器１０は近隣の無線携帯端末６０（無線端末の例）と無線ＬＡＮ通信を行なうとともに無線携帯端末６０をインターネット５８に通信接続させるものであり、光通信線４８（通信機器の例）を介して光中継器５２（通信機器の例）と双方向通信可能に配線接続された光通信方式の無線ＬＡＮルータ１１と、スマートフォンなどの無線携帯端末６０との間で無線信号を送受信するアンテナ１２と、無線ＬＡＮルータ１１と電気コード４５を介して接続され直流電力を無線ＬＡＮルータ１１に供給するＡＣアダプタ１３と、アンテナ１２と電気コード４６を介して接続され直流電力をアンテナ１２に供給するＡＣアダプタ１４と、無線ＬＡＮルータ１１とアンテナ１２とを双方向通信可能に接続する通信線４７と、から構成されている。ＡＣアダプタ１３，１４は、電気コード４４（給電機器の例）を介して内部コンセント４９と接続されて商用電源を供給するコンセント１５（給電機器の例）に装着されている。前記のＡＣアダプタ１３、ＡＣアダプタ１４およびコンセント１５は、扉板２４の背面２４Ａに架設された例えば桟板１６上に設置される。
【００２０】
上記のように構成された箱体１の作用を次に説明する。まず、図８，９の自動販売機Ｊにおいて、主扉２２が開けられビス３３，３３，３３，・・・が外されて、係止部材３４Ａ，３４Ａおよび透明ボード３７が取り外される。そして、箱体１の箱内空間９に無線ＬＡＮルータ１１およびアンテナ１２が格納される。次に、箱状本体２が、扉板２４の広告掲示用窓３０に背面２４Ａ側から装入され嵌着される。このとき、箱状本体２の大部分が機外Ｆに突出し、鍔部３がシール枠材３５の背面に当接する。その後、鍔部３の背面に蓋板４３があてがわれることにより、箱状本体２の背面開口８が蓋止される。この場合、蓋板４３の挿通用孔４２には、予めＡＣアダプタ１３，１４からの電気コード４５，４６および無線ＬＡＮルータ１１からの光通信線４８が通されている。そして、鍔部３の上下辺部の背面に、係止部材３４Ａ，３４Ａの替わりとなる係止部材３４，３４があてがわれ、ビス３３が係止部材３４，３４のビス穴を通されて固定用台部３６，３６に螺止される。このように係止部材３４，３４が固定されることにより、箱体１が係止されるのである。
【００２１】
そして、上記のように無線ＬＡＮ機器１０を備える自動販売機Ｊは、図７に示すように、自販機元来の働きをする電力消費機器５０を備えており、この電力消費機器５０は、送電線５４を介して外部コンセント５１と接続されている。外部コンセント５１は、発電所など商用電源５６からの送電線５４と接続されている。既述した光中継器５２は、光通信線５３を介して契約プロバイダ端末５７と配線接続されている。契約プロバイダ端末５７は、インターネット５８を介して数々の情報提供端末５９，５９，５９，・・・と通信接続されている。前記の送電線５４および光通信線５３は、自動販売機Ｊの近くの電柱５５に架設されているので、自動販売機Ｊはこれらを簡便に利用できる。そこで、自動販売機Ｊの無線ＬＡＮ機器１０は、通信可能範囲内にある無線携帯端末６０からの通信接続要求に応じて無線ＬＡＮ通信を行ない、無線携帯端末６０を無線通信および光通信を介してインターネット５８に通信接続させるのである。
【００２２】
以上に述べたように、この実施形態の箱体１は、その箱状本体２が自動販売機Ｊの主扉２２の広告掲示用窓３０に背面２４Ａ側から前向きに装着され得るので、箱状本体２は機外Ｆに突出する。すなわち、箱状本体２の箱内空間９内の無線ＬＡＮ機器１０は、自動販売機Ｊ内にありながら主扉２２の前方に突出した位置に配置される。従って、自動販売機Ｊ内に無線ＬＡＮ機器１０の設置を行なったにも拘わらず、無線ＬＡＮ機器１０の設置スペースを新たに設けるために自動販売機Ｊ内にある既設機器を改造するといったことを省略できる。
【００２３】
また、箱状本体２の正面形状は前記の広告掲示用窓３０と略同じ形状にされているので、自動販売機Ｊの元来の見栄えを毀損したりしない。そして、無線ＬＡＮ機器１０として光通信方式の無線ＬＡＮルータ１１を有しているので、送電線５４用の電柱５５に懸架されている光通信線５３を簡便に利用することができる。従って、インターネット５８を高速の通信速度で確実かつ安価に利用することができる。しかも、アンテナ１２が主扉２２から前方に突出した位置に設置されているので、本体ケーシング２０内の既存機器からのノイズの影響を受けることなく、高感度に電波の受発信を行なうことができる。
【００２４】
尚、上記の実施形態では、鍔部３として、箱状本体２の背面開口８の開口縁７からその全周にわたって外向きに突設したものを例示したが、本考案の箱体はそれに限定されるものでない。上記した自動販売機Ｊでは広告掲示用窓３０の開口縁３１の上下で鍔部３を係止部材３４，３４により固定しているので、例えば上下の開口縁７から上下方向にのみ突設した鍔部であっても、扉板２４の背面２４Ａに十分に固定され得る。
また、箱体１の箱状本体２における前面板部４の前面に、広告掲示板３８に描かれていたような広告図柄３９などを描いておくと、従前と同様の宣伝効果を維持することができる。更には、主扉２２から前方に突出した箱状本体２における外周板部５の外面にも広告図柄を描いておくと、よりいっそうの宣伝効果を奏し得る。
【００２５】
上記では、インターネット５８に対する通信として光通信線を用いた有線式の光通信方式で行なったが、本考案はそれに限定されない。例えば、図７中に２点鎖線で示した無線通信端末６１が無線ＬＡＮ機器１０のアンテナ１２と無線通信可能な領域内にあれば、この無線通信端末６１と無線ＬＡＮ機器１０のアンテナ１２との間の無線通信によりインターネット５８と通信接続することも可能である。あるいは、本発明の無線端末として、例えば無線通信可能な範囲内にある他の無線ＬＡＮ機器を適用することも可能である。その場合、無線ＬＡＮ機器１０は、前記他の無線ＬＡＮ機器との間で無線ＬＡＮ通信の橋渡しをしてインターネット接続に供することができる。
【符号の説明】
【００２６】
１    箱体
２    箱状本体
３    鍔部
４    前面板部
５    外周板部
６    外周縁
７    開口縁
８    背面開口
９    箱内空間
１０  無線ＬＡＮ機器
１１  無線ＬＡＮルータ
１２  アンテナ
１３  ＡＣアダプタ
１４  ＡＣアダプタ
１５  コンセント
２２  主扉
２３  ヒンジ部
２４  扉板
２４Ａ  背面
３０  広告掲示用窓
３１  開口縁
３３  ビス
３４  係止部材
４４  電気コード
４７  通信線
４８  光通信線
４９  内部コンセント
５２  中継器
５５  電柱
５８  インターネット
６０  無線携帯端末
Ｂ  横幅
Ｃ  高さ
Ｄ  奥行
Ｄ１  深さ
Ｊ  自動販売機
【図１】
0003193231.tif 000003
【図２】
0003193231.tif 000004
【図３】
0003193231.tif 000005
【図４】
0003193231.tif 000006
【図５】
0003193231.tif 000007
【図６】
0003193231.tif 000008
【図７】
0003193231.tif 000009
【図８】
0003193231.tif 000010
【図９】
0003193231.tif 000011
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
上下方向に沿って配置される前面板部、および当該前面板部の外周縁に全周にわたり後向きに立設された外周板部から成っていて背面が開口している箱状本体と、箱状本体の背面開口の開口縁から突設された鍔部と、から構成される箱体であって、
箱状本体内には、背面開口とつながり且つ無線ＬＡＮ機器を格納する、箱内空間が形成されていることを特徴とする無線ＬＡＮ機器格納用の箱体。
【請求項２】
箱状本体の前面板部の正面形状は、自動販売機の広告掲示用窓と略同じ長方形に形成されていることを特徴とする請求項１に記載の無線ＬＡＮ機器格納用の箱体。
【請求項３】
無線ＬＡＮ機器は、光通信方式の無線ＬＡＮルータを含んで成ることを特徴とする請求項１または請求項２に記載の無線ＬＡＮ機器格納用の箱体。
【請求項４】
前面開口を有する本体ケーシングと、本体ケーシングの前面開口を開閉自在に蓋止する主扉と、主扉に前後貫通して形成された広告掲示用窓とを有して成り、
更に、
主扉の広告掲示用窓に背面側から装着された請求項１から請求項３までのいずれか一項に記載の箱体と、
広告掲示用窓に嵌着された箱体を主扉の背面に係止する係止部材と、
箱体の箱状本体の箱内空間に格納された無線ＬＡＮ機器と、
電源を無線ＬＡＮ機器に供給するための給電機器と、
インターネットと無線ＬＡＮ機器を通信接続する通信機器と、を備えていることを特徴とする自動販売機。
【手続補正２】
【補正対象書類名】明細書
【補正対象項目名】０００７
【補正方法】変更
【補正の内容】
【０００７】
上記目的を達成するために、本考案に係る無線ＬＡＮ機器格納用の箱体は、上下方向に沿って配置される前面板部、および当該前面板部の外周縁に全周にわたり後向きに立設された外周板部から成っていて背面が開口している箱状本体と、箱状本体の背面開口の開口縁から突設された鍔部と、から構成される箱体であって、箱状本体内には、背面開口とつながり且つ無線ＬＡＮ機器を格納する、箱内空間が形成されている構成にしてある。前記の無線端末としては、例えばスマートフォンや携帯電話などの無線携帯端末、または他の無線ＬＡＮ機器が挙げられる。
【手続補正３】
【補正対象書類名】明細書
【補正対象項目名】０００８
【補正方法】変更
【補正の内容】
【０００８】
また、前記構成において、箱状本体の前面板部の正面形状は、自動販売機の広告掲示用窓と略同じ長方形に形成されているものである。
【手続補正４】
【補正対象書類名】明細書
【補正対象項目名】００１１
【補正方法】変更
【補正の内容】
【００１１】
本考案に係る無線ＬＡＮ機器格納用の箱体によれば、箱状本体が、無線ＬＡＮ機器を格納可能な箱内空間を有するので、無線ＬＡＮ機器を箱内空間に格納した箱体が自動販売機内に装着されると、無線ＬＡＮ機器は自動販売機内に配置される。これにより、無線ＬＡＮ機器の設置スペースを新たに設けるための自動販売機内の機器改造を行なう必要がなくなり、自動販売機の既存の広告掲示用窓を利用して自動販売機内での無線ＬＡＮ機器の設置を行なうことができる。
【手続補正５】
【補正対象書類名】図面
【補正対象項目名】図３
【補正方法】変更
【補正の内容】
【図３】
0003193231.tif 000012
【手続補正６】
【補正対象書類名】図面
【補正対象項目名】図８
【補正方法】変更
【補正の内容】
【図８】
0003193231.tif 000013